(57)【要約】【課題】複数の物品を関連付け、またその物品関連情報の登録及び削除を容易に行うことができる物品管理方法を提供する。【解決手段】物品の属性情報が記される物品ラベルと書込み内容を電子的に取得できるデジタルペンを用いた物品管理システムにおいて、ユーザが複数の物品ラベルに連続して書込むことにより、それぞれの物品ラベルの個体を識別できるため、複数の物品を関連付けることが可能である。このようなユーザによる操作として、ユーザが物品ラベルに書込む前または後に物品関連情報の登録または削除を物品管理システムに指示しても良いし、登録または削除を意味する物品ラベルを用意しても良い。【選択図】  図１
2008108156.tif 000002
【特許請求の範囲】
【請求項１】
物品を管理する物品管理システムにおいて、
物品とその属性情報を記録する物品情報管理部と、
物品の属性情報が紙面に記される物品ラベルと、
前記物品ラベルの個体を識別できる物品ラベル識別部と、
ユーザが前記物品ラベルに書込んだときに、その書込み内容を電子的に取得できる書込み取得部と、
ユーザが複数の物品の物品ラベルに連続して書込むことによりそれら複数の物品の情報を関連付ける情報である物品関連情報を作成する物品関連情報作成部
を有すことを特徴とする物品管理システム。
【請求項２】
ユーザが前記物品ラベルに書込んだときに、その書込み内容から物品属性情報の修正内容を取得し、その修正内容から前記物品情報管理部が記録する当該物品の属性情報を修正する物品属性情報修正部
を有すことを特徴とする請求項１に記載の物品管理システム。
【請求項３】
物品を関連付ける際、
複数の物品の物品ラベルに連続して書込む代わりに、ユーザが関連付けの指示を物品管理システムに入力してから、複数の物品ラベルに書込む、または複数の物品ラベルに書込んでから関連付けの指示を物品管理システムに入力することにより物品関連情報を作成する物品関連情報作成部
を有すことを特徴とする請求項１または請求項２に記載の物品管理システム。
【請求項４】
新しく物品関連情報を作成したときに、当該物品のいずれかにおいて既に物品関連情報が作成されていた場合、既に存在する物品関連情報を削除し、新しい物品関連情報を物品情報管理部に登録する物品関連情報更新部
を有すことを特徴とする請求項１から請求項３に記載の物品管理システム。
【請求項５】
物品関連情報の削除を意味する物品ラベルを用意し、
新しく物品関連情報を作成したときに、当該物品の物品ラベルのいずれかが前述の物品関連情報の削除を意味する物品ラベルである場合、当該物品の全ての物品関連情報を物品情報管理部から削除する物品関連情報削除部
を有すことを特徴とする請求項１から請求項４に記載の物品管理システム。
【請求項６】
物品関連情報の削除の際、
物品関連情報の削除を意味する物品ラベルの代わりに、
ユーザが物品関連情報の削除の指示を物品管理システムに入力してから、複数の物品ラベルに書込む、または複数の物品ラベルに書込んでから物品関連情報の削除の指示を物品管理システムに入力することにより物品関連情報を削除する物品関連情報削除部
を有すことを特徴とする請求項５に記載の物品管理システム。
【請求項７】
物品の属性情報と物品関連情報が表された用紙を作成し、
ユーザが前記用紙の物品の欄に書込んだときに、
前記用紙に書込んだ位置を特定する書込み取得部と、
前記位置情報と前記用紙に含まれる物品情報とを基に該当する物品を特定する物品関連情報検索部
を有すことを特徴とする請求項１から請求項６に記載の物品管理システム。
【請求項８】
物品を管理する物品管理方法において、
物品とその属性情報を記録する物品情報管理手段と、
物品の属性情報が紙面に記される物品ラベルと、
前記物品ラベルの個体を識別できる物品ラベル識別手段と、
ユーザが前記物品ラベルに書込んだときに、その書込み内容を電子的に取得できる書込み取得手段と、
ユーザが複数の物品の物品ラベルに連続して書込むことによりそれら複数の物品の情報を関連付ける情報である物品関連情報を作成する物品関連情報作成手段
を有すことを特徴とする物品管理方法。
【請求項９】
ユーザが前記物品ラベルに書込んだときに、その書込み内容から物品属性情報の修正内容を取得し、その修正内容から前記物品情報管理手段が記録する当該物品の属性情報を修正する物品属性情報修正手段
を有すことを特徴とする請求項８に記載の物品管理方法。
【請求項１０】
物品を関連付ける際、
複数の物品の物品ラベルに連続して書込む代わりに、ユーザが関連付けの指示を物品管理システムに入力してから、複数の物品ラベルに書込む、または複数の物品ラベルに書込んでから関連付けの指示を物品管理システムに入力することにより物品関連情報を作成する物品関連情報作成手段
を有すことを特徴とする請求項８または請求項９に記載の物品管理方法。
【請求項１１】
新しく物品関連情報を作成したときに、当該物品のいずれかにおいて既に物品関連情報が作成されていた場合、既に存在する物品関連情報を削除し、新しい物品関連情報を物品情報管理に登録する物品関連情報更新手段
を有すことを特徴とする請求項８から請求項１０に記載の物品管理方法。
【請求項１２】
物品関連情報の削除を意味する物品ラベルを用意し、
新しく物品関連情報を作成したときに、当該物品の物品ラベルのいずれかが前述の物品関連情報の削除を意味する物品ラベルである場合、当該物品の全ての物品関連情報を物品情報管理から削除する物品関連情報削除手段
を有すことを特徴とする請求項８から請求項１１に記載の物品管理方法。
【請求項１３】
物品関連情報の削除の際、
物品関連情報の削除を意味する物品ラベルの代わりに、
ユーザが物品関連情報の削除の指示を物品管理システムに入力してから、複数の物品ラベルに書込む、または複数の物品ラベルに書込んでから物品関連情報の削除の指示を物品管理システムに入力することにより物品関連情報を削除する物品関連情報削除手段
を有すことを特徴とする請求項１２に記載の物品管理方法。
【請求項１４】
物品の属性情報と物品関連情報が表された用紙を作成し、
ユーザが前記用紙の物品の欄に書込んだときに、
前記用紙に書込んだ位置を特定する書込み取得手段と、
前記位置情報と前記用紙に含まれる物品情報とを基に該当する物品を特定する物品関連情報検索手段
を有すことを特徴とする請求項８から請求項１３に記載の物品管理方法。
【発明の詳細な説明】
【技術分野】
【０００１】
本発明は、ユーザが記入した情報を物品の属性情報として対応付けて管理する物品管理システムに関し、特に複数の物品を関連付ける情報を登録及び削除する技術に関する。
【背景技術】
【０００２】
従来、物品を管理する際は、物品の管理に必要な属性情報を、キーボード等の入力装置を利用してコンピュータに登録し、管理していた。また、管理対象物は、物品を特定するためのバーコードやＩＣチップなどを貼り付け、読取装置を利用して当該物品の管理情報を取得していた。（例えば、特許文献１参照）
また、特許文献２には、デジタルペン、記入用紙のラベル、クライアント端末、サーバ、データ記憶装置を備える物品管理システムが開示されている。この物品管理システムでは、ラベルに手書きで書込まれた情報を文字データまたはイメージデータに変換して、物品の属性情報として管理していた。すなわち、デジタルペンを利用することで、キーボード等の入力装置を利用して入力する手間が省け、検索用データベースを容易に作成することができた。また、この検索用データベースを基に、物品の属性情報を容易に検索することができた。
【０００３】
【特許文献１】特開平６−２５１０３１号公報
【特許文献２】特開２００４−３０３０２９号公報
【発明の開示】
【発明が解決しようとする課題】
【０００４】
特許文献２の物品管理方法では、例えば書類をファイルに綴込むといった場合に、書類に貼り付けるラベル上に綴込むファイルの情報を書込み、サーバでファイルと書類を関連付ける情報を書類の一属性情報として管理した。しかしながら、この方法ではファイルと書類を関連付ける情報を厳密に管理できないという問題があった。すなわち、従来の物品管理方法では複数の物品を関連付ける情報の登録及び削除といった操作を容易に行うことができないという問題があった。
【０００５】
また、例えば過去に実施した前記綴込み作業の報告書を基に現在の物品管理情報を検索するには、クライアント端末の検索画面から検索条件を指定する手間がかかるという問題があった。
【０００６】
本発明は、デジタルペンを用いて複数の物品を関連付け、またその物品関連情報の登録及び削除を容易に行うことができる物品管理方法を提供することを目的とする。また、本発明は、デジタルペンを用いて過去に物品管理情報を印刷した紙を基に、物品の属性情報及び関連付く物品の属性情報を取得する物品管理方法を提供することを目的とする。
【課題を解決するための手段】
【０００７】
物品の属性情報が記される物品ラベルと書込み内容を電子的に取得できるデジタルペンを用いた物品管理システムにおいて、複数の物品を容易に関連付けるという課題に対し、ユーザが複数の物品ラベルに連続して書込むことにより、それぞれの物品ラベルの個体を識別できるため、複数の物品を関連付けることが可能である。このようなユーザによる操作として、連続して物品ラベルに書込む代わりに、ユーザが物品ラベルに書込む前または後に物品関連情報の登録または削除を物品管理システムに指示しても良いし、登録または削除を意味する物品ラベルを用意しても良い。
【０００８】
また、前記物品管理システムにおいて、過去に実施した物品管理の作業報告書用紙から現在の物品管理情報を容易に取得するという課題に対し、ユーザが用紙上の物品欄に前記デジタルペンで書込むことにより、書込んだ用紙上の位置情報を取得し、前記位置情報と当該用紙に関連付けられる物品情報を基に物品欄に書込まれた物品を特定できるため、現在の当該物品の属性情報及び当該物品に関連付けられている物品の情報を取得することが可能である。
【発明の効果】
【０００９】
本発明の物品管理方法及び物品管理システムによれば、複数の物品を関連付ける情報の登録及び削除といった操作について、ユーザの負担を軽減することができ、処理の正確さを向上することができる。また、過去の作業報告書に対する監査にかかる時間を短縮することができる。
【発明を実施するための最良の形態】
【００１０】
（物品管理方法及び物品管理システム）
本発明は、物品を識別するために貼り付けたラベルに書込まれた情報を取得する手段を用いて、ラベル本体、ラベルに書込まれた物品の属性情報、ラベルに印刷された情報に関連する電子情報、ラベルの状態を変更した人物と時間、ラベルを貼り付けた複数の物品を関連付ける情報を対応付けて管理する。また、これらの物品管理情報を印刷した報告書、及び報告書に含まれる物品管理情報を対応付けて管理する。
【００１１】
まず、本発明の概要について、本発明が適用された物品管理システムによる処理の概念図である図１と図２を参照しながら説明する。
【００１２】
図１は、本発明におけるラベルに貼り付けた物品を関連付ける作業の流れを示す。
【００１３】
まず、物品の種類としてファイル６と書類７を選択してドットパターンを付したファイルラベル１と書類ラベル２をそれぞれ印刷する（１）。これらのラベルには、システム全体と物品種類毎に一意に識別可能な識別子がそれぞれ割当てられる。前者のシステム全体で一意に識別可能な識別子は、デジタルペン８によって識別可能なドットパターンの識別子（ドットパターンＩＤ）を用いる。後者の物品の種類毎に一意に識別可能な識別子は、物品毎に識別可能なラベルＩＤ（例えば、ファイルＩＤ、書類ＩＤ）を用いる。システムは、これらのＩＤを対応付けて管理する。
ラベルのレイアウトは、図３に示すように、例えば、物品の種類に応じて予め指定した書式枠、印刷時に指定した書類ＩＤの属性情報を併せて印刷することができる。その際、ラベルと印刷された内容（例えば、電子ファイルや印刷指示者によって入力された文字列）とが対応付けて管理される。
【００１４】
その後、ファイルラベル１と書類ラベル２にデジタルペン８を用いて属性情報を書込み、それぞれに貼り付ける（２）。この際、デジタルペン８はドットパターンＩＤを取得し、物品管理サーバ９に問い合わせると、ドットパターンＩＤと関連付けて管理されている物品の属性情報に新たな書込み情報が登録または更新される。
【００１５】
書類７をファイル６に綴込む時は、ファイルラベル１と書類ラベル２にデジタルペン８を用いて触れると、両者のドットパターンＩＤを物品管理サーバ９に問い合わせ、ファイルＩＤと書類ＩＤが関連付けられ、登録日時や作業者情報と共に管理される（３）。
【００１６】
さらに、ファイル６から書類７を取り出したり、別のファイル６に移動させたりする際にも、同様にデジタルペン８を用いて書類ラベル２とファイルラベル１に触れて物品管理サーバ９に問い合わせることで、ファイルＩＤと書類ＩＤとを関連付ける情報が削除され、別の新たな物品関連情報を作成することができる。
なお、書類７の電子情報が存在する場合、書類ラベル２の代わりに、この電子情報の書類イメージをドットパターン用紙として印刷しても、書類ラベル２を貼り付けたのと同様に管理することができる。
【００１７】
図２は、本発明における物品関連情報の検索や状態更新の流れを示す。
綴込みの作業者は、綴込み作業をまとめた報告書３を作成し（１）、ドットパターンが印刷された用紙（以下、「ドットパターン用紙」と表する）として印刷する（２）。報告書３には、綴込まれた書類７の情報とファイル６の情報が含まれる。報告書３毎に、一意に識別可能な識別子（例えば、報告書ＩＤ）が割当てられ、ドットパターンＩＤと対応付けて管理される。
【００１８】
さらに、書類７の管理状態を監査する際に、報告書３中のある書類欄にデジタルペン８を用いて触れて物品管理サーバ９に問い合わせると、ドットパターンＩＤと記入した位置情報を基に書類７の属性情報及び書類に関連付けられるファイル６の情報を取得することができる（３）。
【実施例１】
【００１９】
以下に、本発明の物品管理システムの一実施形態を、図面を参照しながら説明する。
＜システム構成＞
図４Ａは、本発明の物品管理システムの全体構成図である。本発明の物品管理システムは、物品管理サーバ９、クライアント端末１０、デジタルペン８、印刷装置１２、ドットパターン用紙（ファイルラベル１、書類ラベル２、報告書３）及びネットワーク１１を備える。物品管理サーバ９は１つであるが、クライアント端末１０、デジタルペン８及び印刷装置１２は複数あって良い。
（ネットワーク）
物品管理サーバ９とクライアント端末１０を相互に接続するネットワーク１１は、ＬＡＮ（Ｌｏｃａｌ Ａｒｅａ Ｎｅｔｗｏｒｋ）やインターネット、無線通信ネットワークなど、様々な規格の通信手段を単独または組み合わせて具現できる。
（物品管理サーバ）
物品管理サーバ９は、通信インタフェース２０、制御部２１、プログラム記憶メモリ２２及び記憶装置２３を備える。
【００２０】
通信インタフェース２０は、例えばＴＣＰ／ＩＰプロトコルを用いて通信可能なＬＡＮカードであり、ネットワーク１１との入出力インタフェースを備え、クライアント端末１０との通信を実現する。
【００２１】
制御部２１は、例えばＣＰＵ及びメモリを備える。ＣＰＵは、各種プログラムを呼び出して実行することによって物品管理サーバ９が実行される処理に関する演算を行う。
【００２２】
プログラム記憶メモリ２２は、例えばＲＯＭであり、制御部２１で実行するプログラムが記憶される。プログラム記憶メモリ２２の構成については、図４Ｂを参照しながら説明する。
【００２３】
プログラム記憶メモリ２２は、クライアント端末１０から指示された用紙の印刷処理する印刷処理部２４、印刷する用紙に対してドットパターンを割当てるドットパターン割当て部２５、物品及び物品の属性情報を登録、更新及び削除する物品情報管理部２６、検索条件を基に記憶装置２３から指定したデータを検索する検索部２７、複数の物品を関連付ける情報の登録及び削除を行う物品関連情報管理部２８、物品ラベルの個体を識別する物品ラベル識別部２９、デジタルペンから送信されたストローク情報を基に文字認識やイメージ化を行う書込み取得部３０、クライアント端末１０に対して表示画面を作成する表示作成部３１、印刷処理部２４や書込み取得部３０が行った処理履歴を作成する処理履歴管理部３２から構成される。
記憶装置２３は、例えばハードディスクドライブなどを含み、制御装置２１で処理されるデータを記憶することができる。記憶装置２３の構成については、図４Ｃを参照しながら説明する。
記憶装置２３は、物品種類情報５０（図５）、ユーザ情報６０（図６）、物品ラベル情報７０〜７２（図７Ａ〜７Ｃ）、物品関連情報８０（図８）、印刷履歴情報９０（図９）、記入履歴情報１００（図１０）及びストローク情報１１０（図１１）を格納する。それぞれの情報の詳細については、後述する＜データベース＞で説明する。
（クライアント端末）
クライアント端末１０は、ユーザが使用するコンピュータ装置で、デジタルペン８から受信した情報をネットワーク１１を経由して物品管理サーバ９に転送する。また、物品管理サーバ９への印刷要求を送信し、物品管理サーバ９から受信した印刷データをクライアント端末１０に接続されている印刷装置１２に転送する。
クライアント端末１０は、例えばＣＰＵを含む前述の処理を実行する制御部３２、ネットワーク１１との入出力インタフェースを含む物品管理サーバ９との通信を実現する通信インタフェース３３、デジタルペン８とＵＳＢなどの有線接続手段またはＢｌｕｅｔｏｏｔｈなどの無線接続手段で接続するデジタルペンインタフェース３４、印刷装置との通信を実現する印刷装置インタフェース３５、ユーザが印刷指示内容や物品管理情報を例えばキーボードや液晶ディスプレイで入出力する操作入出力部（図示省略）を備える。
（印刷装置）
印刷装置１２は、クライアント装置１０からの指示によって、紙にドットパターンを含む情報を印刷する。
（デジタルペン）
本実施例では、デジタルペン８の方式として、特開２００４−３０３０２９号公報に開示されている方式を用いる。本方式を用いる理由は、用紙のドットパターンＩＤ、書込まれた位置情報と時刻情報及びペンＩＤを同時に取得できるためである。
（ドットパターン用紙）
ドットパターン用紙は、デジタルペン８で書込んだ位置を特定するためのドットパターンが付された紙である。さらに、ドットパターンとあわせて印刷時に指定した用紙の書式枠、ユーザが指定する電子情報または物品管理サーバ９で物品と関連付けて管理される電子情報（例えば、イメージや文字列）を挿し込んで印刷することができる。この印刷された紙は、ファイル６や書類７などの物品に貼り付けられるラベル（ファイルラベル１と書類ラベル２）、物品管理情報を報告するための用紙（報告書３）として使用される。
＜データベース＞
図５は、物品種類情報５０の構成図である。物品種類情報５０は、紙に印刷される用紙の内容及び状態を記憶する情報で、物品管理サーバ９の記憶装置２３に格納されている。物品種類情報５０は、物品種類ＩＤ５０１、登録日時５０２、更新日時５０３及び印刷イメージ５０４を含む。
【００２４】
図６は、ユーザ情報６０の構成図である。ユーザ情報６０は、物品管理システム９を使用するユーザに関する情報で、物品管理サーバ９の記憶装置２３に格納されている。ユーザ情報６０は、ユーザＩＤ６０１、ユーザ名６０２、印刷装置ＩＤ６０３及びペンＩＤ６０４を含む。
【００２５】
ユーザＩＤ６０１は、当該ユーザの一意な識別子である。ユーザ名６０２は、当該ユーザの名前である。印刷装置ＩＤ６０３は、当該ユーザが使用する印刷装置１２の一意な識別子である。ペンＩＤ６０４は、当該ユーザが使用するデジタルペン８の一意な識別子である。
【００２６】
図７Ａ〜図７Ｃは、物品ラベル情報７０〜７２の構成図である。物品ラベル情報７０は、物品管理システムで使用する印刷される物品ラベル等の紙に対応して新規に作成される情報で、物品管理サーバ９の記憶装置２３に格納されている。
物品ラベルＩＤ７０１（以下、図７Ａ参照）は、印刷されたファイルラベル１の一意な識別子である。物品種類ＩＤ７０２は、物品種類毎の一意な識別子であり、物品種類情報５０（図５）へのリンクである。登録日時７０３、更新日時７０４、削除日時７０５は、それぞれ物品ラベルが印刷された日時、後述の摘要７０７などの属性情報が更新された日時、物品ラベルが削除された日時である。更新日時７０４と削除日時７０５に該当するデータが存在しない場合は、それぞれ該当する更新と削除がなされていないことを示す。登録ユーザＩＤ７０６は、当該物品ラベルを印刷したユーザの一意な識別子であり、ユーザ情報６０（図６）へのリンクである。摘要７０７と保管場所７０８は、それぞれ物品ラベルの概要と保管場所を示し、ユーザが印刷時にクライアント端末１０から入力するか、またはデジタルペン８によって入力できる。記入履歴ＩＤ７０９は、当該物品ラベルにデジタルペン８で記入された履歴であり、後述の記入履歴情報１００（図１０参照）へのリンクである。
【００２７】
以上では、図７Ａについて説明したが、物品ラベル情報は他の物品ラベル情報７１（図７Ｂ）に示すように、物品の種類に関わらず同様のデータ構成やデータ項目によって構成しても良いし、物品ラベル情報７２（図７Ｃ）に示すように、物品の種類によって異なるデータ構成として格納しても良い。
【００２８】
図８は、物品関連情報８０（例えば、書類綴込み情報）の構成図である。物品関連情報８０は、印刷された物品ラベル情報を関連付ける情報であり、物品管理サーバ９の記憶装置２３に格納されている。
【００２９】
ファイルＩＤ８０１は、ファイルラベル情報７０の一意な識別子であり、物品ラベルＩＤ７０１（図７Ａ参照）へのリンクである。書類ＩＤ８０２は、書類ラベル情報８０の一意な識別子であり、物品ラベルＩＤ７１１（図７Ｂ参照）へのリンクである。登録日時８０３は、ファイル６に書類７が綴込まれた日時、つまりファイルの物品ラベル情報７０と書類の物品ラベル情報７１が関連付けられた日時である。登録ユーザＩＤ８０４は、綴込み作業を実施したユーザの一意な識別子であり、ユーザ情報６０（図６参照）へのリンクである。当該ユーザは、デジタルペンを使用して綴込みの作業を実施するため、ペンＩＤ６０４（図６）からこのユーザを特定できる。
【００３０】
物品関連情報８０に表されたファイルＩＤ８０１と書類ＩＤ８０２によって、ファイルラベル１と書類ラベル２の従属関係がわかる。そして、ファイルラベル１と書類ラベル２との関係は、一対多である。さらに、書類ラベル２が複数のファイルラベル１に従属することはない。
【００３１】
また、書類７が別のファイル６に移動される時には、移動前の当該物品関連情報８０が削除され、新たに移動後のファイルラベル１と当該書類ラベル２との物品関連情報８０が追加される。
なお、ファイルラベル１が削除された時には、当該ファイルラベル情報７０に関連付けられる全ての物品関連情報８０も削除される。また、書類ラベル２が削除された時には、該当する１つの物品関連情報８０だけが削除される。
【００３２】
よって、後述する報告書３からの書類検索処理（図１７参照）において、書類ＩＤ８０２からファイルＩＤ８０１を特定して、他の情報（ファイルラベル情報７０（図７Ａ）、登録ユーザ情報６０（図６）を探すので、物品関連情報８０においてファイルＩＤ８０１と書類ＩＤ８０２が関連付けられていなければ、これらの情報を探すことができない。報告書に印刷されている情報は、印刷時点での関連を表する情報なので、印刷される情報と検索結果とが異なることがある。
【００３３】
以上のように、印刷された紙同士を関連付ける方法として、図８のようなデータ構成について説明したが、物品ラベル情報７２（図７Ｃ）のようなデータ構成をとることもできる。
図８で示すようなファイルＩＤ８０１と書類ＩＤ８０２の関係は、前述のとおり物品関連情報８０の作成、削除が繰り返される場合に適している。これに対して、図７Ｃに示すような物品種類ＩＤ７２０と書類ＩＤ７２６は、作成以降この従属関係は報告書３を削除するまで不変であるので、このようなデータ構成をとっても良い。なお、図７Ｃのデータ構成を図８のようなデータ構成として管理することも可能である。
【００３４】
図９は、印刷履歴情報９０の構成図である。印刷履歴情報９０は、物品ラベル等の紙を印刷した処理に関する情報で、物品管理サーバ９の記憶装置２３に格納されている。
【００３５】
印刷履歴情報９０は、印刷ＩＤ９０１、印刷ユーザＩＤ９０２、印刷日時９０３、印刷ステータス９０４、物品種類ＩＤ９０５、物品ラベルＩＤ９０６、挿込データ９０７から構成される。
【００３６】
印刷ＩＤ９０１は、印刷した紙毎に振られる一意な識別子である。印刷ユーザＩＤ９０２は、クライアント端末１０から印刷を実行したユーザの一意な識別子であり、ユーザ情報６０（図６）へのリンクである。印刷日時９０３と印刷ステータス９０４は、それぞれ印刷処理が実行された日時と結果を示す。物品種類ＩＤ９０５は、印刷対象である物品種類毎の一意な識別子であり、物品種類情報５０（図５）へのリンクである。物品ラベルＩＤ９０６は、印刷された紙の一意な識別子であり、毎回異なるドットパターンを付した紙を印刷する場合、ドットパターンＩＤとしても良い。挿込データ９０７は、物品ラベルの所定の枠に挿し込んで印刷する文字列データや画像のようなファイルデータである。これらの挿込データ９０７は印刷画像として復元することができ、後述の監査処理（図１４参照）において物品に関する電子情報を表示する時に使用される。
なお、挿込データ９０７は、物品ラベルの書式枠に挿し込むだけでなく、イメージ等の電子情報も印刷することができる。
【００３７】
図１０は、記入履歴情報１００の構成図である。記入履歴情報１００は、デジタルペン８の書込みデータ送信毎に追加される情報であり、物品管理サーバ９の記憶装置２３に格納されている。
【００３８】
記入履歴情報１００は、記入履歴ＩＤ１００１、記入日時１００２、記入ユーザＩＤ１００３、記入物品ラベルＩＤ１００４、ストロークＩＤ１００５から構成される。
【００３９】
記入履歴ＩＤ１００１は、デジタルペン８の書込みデータ送信イベントの一意な識別子である。記入日時１００２は、物品管理サーバ９がデジタルペン８からの書込みデータを処理した日時である。なお、記入日時１００２は、デジタルペン８のストローク情報１１０（図１１）の代表的な時刻（例えば入力開始日時１１０２）を取得して登録しても良い。記入ユーザＩＤ１００３は、デジタルペン８を記入したユーザの一意な識別子であり、ユーザ情報６０（図６）のペンＩＤ６０４から特定される。記入物品ラベルＩＤ１００４は、印刷されたページの一意な識別子であり、物品ラベル情報７０〜７２（図７Ａ〜図７Ｃ）のいずれかへのリンクである。この記入物品ラベルＩＤ１００４は、デジタルペン８が取得した印刷された紙のドットパターンＩＤから特定される。ストロークＩＤ１００５は、印刷された紙にデジタルペン８で書込まれた一筆分データの一意な識別子であり、ストローク情報１１０（図１１）へのリンクである。ストロークＩＤ１００５は、デジタルペン８が物品管理サーバ９にデータを送信するまでに書込まれたストローク分が格納される。
【００４０】
図１１は、ストローク情報１１０の構成図である。ストローク情報１１０は、デジタルペン８がドットパターン用紙に書込んだ時に取得した情報であり、デジタルペン８に一時的に格納され、後に物品管理サーバ９に送信し、物品管理サーバ９の記憶装置２３に格納される。なお、ストローク情報１１０は、デジタルペン８で格納せずにリアルタイムにストローク情報を物品管理サーバ９に送信しても良い。
【００４１】
ストロークとは、デジタルペン８で記入した一筆分で取得したデータのことであり、図１１に示される記号「レ」を指す。デジタルペン８は、一定周期でドットパターンの画像を撮影し、座標情報に変換するので、１ストロークデータはサンプル数分の座標データセットが格納される。
【００４２】
ストロークＩＤ１１０１は、ある物品ラベルに書込み始めてから終了するまでの間の一意な識別子である。すなわち、一筆分が追加されるとストロークＩＤ１１０１が１つずつ増えていく。入力開始日時１１０２は、ストロークのサンプル開始時点の日時である。サンプル点数１１０３は、一筆分のサンプル数の合計を示す。ポインタ１１０４は、一筆分の座標データセットの開始データを指し示す。座標情報１１４は、Ｘ座標１１１、Ｙ座標１１２、差分時刻１１３を含む。
【００４３】
Ｘ座標１１１とＹ座標１１２は、それぞれ図１１に示すＸ軸、Ｙ軸方向の相対座標である。差分時刻１１３は、デジタルペン８に内蔵された時計によって取得したサンプル時刻の相対時刻であり、ストロークのサンプル開始時点を０とする。
＜物品管理システムの処理＞
次に、本発明の実施形態の物品管理システムの処理の流れについて説明する。
（ファイルの登録方法）
図１２は、一般ユーザ４０によるファイルラベル１の印刷からデジタルペン８を用いたファイル６の属性情報の登録までの流れである。
まず、一般ユーザ４０は、クライアント端末１０を操作して、印刷するファイルの物品種類ＩＤ５０１と挿込データ９０７（例えば、イメージや文字列）を指定して物品管理サーバ９に印刷要求を出す（ステップ１０１）。クライアント端末１０は、上記データと共に印刷装置ＩＤ６０３を物品管理サーバ９に送信する。物品管理サーバ９の検索部２７は、クライアント端末１０から送信された印刷指示に含まれる印刷装置ＩＤ６０３を基に記憶装置２３に格納されるユーザ情報６０を検索してユーザＩＤ６０１を特定する。
【００４４】
物品管理サーバ９の検索部２７は、印刷指示に含まれるファイルの物品種類ＩＤ５０１を基に記憶装置２３に格納されているファイルの物品種類情報５０を取得する。そして、ドットパターン割当て部２５は、物品ラベル情報７０に該当するファイルの新規物品ラベルＩＤ７０１を割当て記憶装置２３に記憶する（ステップ１０２）。このとき、物品ラベルＩＤ７０１としてドットパターンＩＤを利用する場合、自動的に一意なドットパターンを割当てることになる。
そして、文書管理サーバ９の印刷処理部２４は、印刷指示に含まれる挿込データについて、物品ラベルの印刷イメージに挿し込んだイメージを作成する。このイメージと、ドットパターンＩＤを基に作成したドットパターンのイメージをマージする（ステップ１０３）。この物品管理サーバ９で作成されたファイルラベル１の印刷イメージは、クライアント端末１０を介して印刷装置１２に送信され、紙に印刷される。
【００４５】
物品管理サーバ９の処理履歴管理部３２は、印刷イメージを印刷装置１２に送信した後に、記憶装置２３に印刷履歴情報９０を新たに作成し、上記で記録した印刷ユーザＩＤ９０２等の印刷内容と印刷処理ステータス９０４に記録する。
一般ユーザ４０は、デジタルペン８を用いてファイルラベル１にファイル６の属性情報を書込み、クライアント端末１０を介して物品管理サーバ９にストローク情報を送信する（ステップ１０４）。
物品管理サーバ９の検索部２７は、ストローク情報に含まれるペンＩＤ６０４を基に記憶装置２３に格納されているユーザ情報６０を検索してユーザＩＤ６０１を特定する。すなわち、ファイルラベル１を印刷した一般ユーザ４０とファイルを登録する一般ユーザ４０が異なっても良い。
【００４６】
物品管理サーバ９の処理履歴管理部３２は、デジタルペン８からのストローク情報受信毎に新たに記入履歴情報１００を作成し、ストローク情報１１０から代表的な日時を抽出した記入日時１００２、上記で特定されたユーザＩＤ１００３、記入物品ラベルＩＤ１００４を記憶装置２３に格納する。また、各ストローク情報にストロークＩＤ１００５を割当て、座標情報１１４と関連付けて管理する。また、この記入履歴ＩＤ１００１を物品ラベル情報７０の記入履歴ＩＤ７０９に追加する。
物品管理サーバ９の書込み取得部３０は、ストローク情報１１００を基に文字認識処理を実行する。物品情報管理部２６は、ファイルの物品ラベル情報（例えば、摘要７０７や保管場所７０８）に前記認識結果の文字列を記憶装置２３に格納する（ステップ１０５）。
【００４７】
一般ユーザ４０は、ファイルラベル１に追記してファイルの属性情報を更新することもできる。このとき、物品管理サーバ９の物品情報管理部２６は、記憶装置２３に格納されている物品ラベル情報の更新日時７０４にデジタルペン８からストロークの代表的な記入日時を抽出したデータを記録し、新たに作成した記入履歴情報１００の記入履歴ＩＤ７０９を追加する。これにより、物品管理サーバ９は、ファイルラベル１の更新履歴を管理することができる。
以上のように、印刷したファイルラベル１の登録とファイルラベル１の属性情報の更新について説明したが、ファイルラベル１の削除も同様の方法で処理し、物品ラベル情報７０の属性情報を更新することができる。ファイルを削除した場合の関連付けられた書類情報の扱いについては後述の書類綴込み処理（図１５）で説明する。
（書類の綴込み方法）
図１３は、書類ラベル２の印刷から書類７をファイル６に綴込むまでの処理の流れである。
一般ユーザ４０が書類ラベル２を印刷する流れについては、前述のステップ１０１〜１０３に示したファイルラベル１の印刷と同様の処理である（ステップ２０１〜２０３）。このとき、書類の物品ラベル情報７１、印刷履歴情報９０が新たに作成され、記憶装置２３に格納される。
以下に、一般ユーザ４０が書類７をファイル６に綴込む流れについて説明する。まず、一般ユーザ４０は、デジタルペン８を用いて書類ラベル２に書類７の属性情報を書込む（ステップ２０４）。次に、一般ユーザ４０は、書類ラベル２を貼り付けた書類７をファイル６に綴込む時、デジタルペン８でファイルラベル１を触れた後、クライアント端末１０を介して物品管理サーバ９にストローク情報を送信する（ステップ２０５）。このとき、ストローク情報として、書類ラベル２に書込まれたストロークとファイルラベル１に触れたストロークの両方が物品管理サーバ９に送信されることになる。
【００４８】
なお、本実施例では、物品を関連付ける際に、複数の物品ラベルを連続して書込むとしたが、代わりに書込む前または後に例えばクライアント端末１０の操作入力部を用いて物品の関連付けの指示を出すこともできる。
あるいは、複数の物品ラベルを連続して書込む手段の代わりとして、物品の関連付けを意味する枠を物品ラベルに配置するか、または別のラベルを用意し、一般ユーザ４０がデジタルペン８で触れても良い。
物品管理サーバ９は、書類ラベル２に書込まれた情報について前述のファイルラベル１への書込み処理（ステップ１０５）と同様の処理によって、記憶装置２３に格納されている書類の物品ラベル情報７１に書込み情報を更新する（ステップ２０６）。そして、物品関連情報管理部２８は、ファイルの物品ラベル情報７０と書類の物品ラベル情報７１を関連付け、物品関連情報８０として記憶装置２３に記憶する（ステップ２０７）。このファイルと書類の関連付けに関する処理については、後述の書類の綴込み処理（図１５）で説明する。
【００４９】
物品管理サーバ９の表示作成部３１は、書類７の登録処理（ステップ２０６）と書類７のファイル６への綴込み処理（ステップ２０７）が完了すると、登録した書類７の登録情報と綴込みの処理結果と共にクライアント端末１０の画面に表示する（ステップ２０８）。このとき、書類ラベル２の画像もあわせて表示させても良い。
一般ユーザ４０は、これらの書類ラベル２の作成から綴込み作業結果の確認（ステップ２０９）までの作業を、後述する報告書３の作成処理（ステップ２１０）まで繰り返し実施することができる。
一般ユーザ４０は、綴込み作業が完了すると、クライアント端末１０を操作して、作業対象の書類７を指定して物品管理サーバ９に綴込み作業の報告書の作成を指示する（ステップ２１０）。クライアント端末１０は、物品管理サーバ９に書類ＩＤを送信する。
【００５０】
なお、クライアント端末１０から書類ＩＤを指定する代わりに、書類ＩＤの検索条件を指定して、物品管理サーバ９で当該書類ＩＤを取得しても良い。
物品管理サーバ９の物品情報管理部２６は、当該書類ＩＤに関する書類７の物品ラベル情報７１を記憶装置２３から取得し、新たに作成した報告書情報（図７Ｃ）に当該書類ＩＤ７１６を関連付ける（ステップ２１１）。そして、印刷処理部２４は、書類７の情報を挿し込んだ報告書の印刷イメージを作成し（ステップ２１２）、クライアント端末１０を介して印刷装置１２に送信し、紙に印刷する。報告書作成処理の詳細については、後述の報告書の作成処理（図１６）で説明する。
【００５１】
図１５は、書類７の綴込み処理の流れ図である。
【００５２】
まず、物品管理サーバ９の物品ラベル識別部２９は、デジタルペン８から取得したファイルラベル１と書類ラベル２に書込まれた２つのストローク情報からドットパターンのＩＤ、ファイルと書類の物品ラベルＩＤ７０１と物品ラベル７１１を取得する（ステップ４０１）。そして、検索部２７は、これらの物品ラベルＩＤ７０１と物品ラベルＩＤ７１１を基に、それぞれ物品ラベル７０と物品ラベル情報７１を記憶装置２３から検索する（ステップ４０２）。これらの検索結果の削除日時７０５と削除日時７１５についてデータ有無をチェックし、削除されているか否かを判定する（ステップ４０３）。
その判定結果、どちらかが削除されている場合、表示作成部３１は、クライアント端末１０の画面に綴込み失敗を表示する（ステップ４０８）。両方とも削除されていない場合、書込み取得部３０はストローク情報を文字認識処理し、物品管理部２６は文字認識結果の文字列を記憶装置２３に格納されている当該書類の属性情報（例えば、摘要７１７）を更新する（ステップ４０４）。なお、このデータ項目に印刷時に既に挿込データとして登録されている場合は、上書き更新または元のデータに追加しても良い。
【００５３】
そして、文書管理サーバ９の検索部２７は、記憶装置２３に格納されている物品関連情報８０（図８）を検索して書類ＩＤ８０２と関連付けられるファイルＩＤ８０１が存在するか否かを判定する（ステップ４０５）。その判定結果、既に書類ＩＤ８０２と関連付けられるファイルＩＤ８０１が存在する場合、１つの書類７が複数のファイル６に対して関連付けられないため、物品関連情報管理部２８は記憶装置２３に対して旧物品関連情報８０を削除し（ステップ４０６）、新たな書類ＩＤ８０２とファイルＩＤ８０１を含む関連情報８０を作成する（ステップ４０７）。また、書類ＩＤ８０２と関連付けられるファイルＩＤ８０１が存在しない場合、ステップ４０７に移り、新たな書類ＩＤ８０２とファイルＩＤ８０１を含む物品関連情報８０を作成する。
以上では、複数の物品の関連付けを登録及び変更する方法について説明したが、物品関連の削除についても同様の操作で行うことができる。この関連付けの削除の方法は、例えば物品の関連情報の削除を意味する物品ラベルを用意し、前述のステップ４０５において、当該物品の物品ラベルのいずれかが前述の削除を意味するラベルである場合、物品関連情報管理部２８によって当該物品の全ての物品関連情報を削除することができる。
【００５４】
なお、物品関連情報の削除の手段は、削除を意味するラベルを用意する代わりに、物品ラベルに書込む前または後に、ユーザがクライアント端末１０から物品関連情報の削除を指示しても良い。
（報告書の作成方法）
図１６は、報告書の作成処理の流れ図である。
まず、物品管理サーバ９は、クライアント端末１０から報告書３の印刷指示に含まれる書類ＩＤを取得する（ステップ５０１）。なお、クライアント端末１０から書類ＩＤを指定する代わりに、書類ＩＤの検索条件を指定して、物品管理サーバ９で当該書類ＩＤを取得しても良い。
そして、文書管理サーバ９の検索部２７は、書類ＩＤを基に書類７の物品ラベル情報７１（図７Ｂ）を記憶装置２３から検索して当該書類の削除日時７１５を取得し、当該データ項目があるか否かを判定する（ステップ５０２）。その判定結果、削除日時７１５が存在しない場合は、当該書類が登録されていることを示すため、記憶装置２３から当該書類の物品ラベル情報７１を取得する（ステップ５０３）。削除日時７１５が存在する場合は、当該書類が削除されていることを示すため、表示作成部３１はクライアント端末１０の画面に当該書類の情報取得に失敗した旨を表示する（ステップ５１０）。
【００５５】
そして、検索部２７は、物品関連情報８０（図８）を記憶装置２３から検索して書類ＩＤ８０２を基に書類ＩＤ８０２と関連付けられるファイルＩＤ８０１を取得する。ファイルＩＤ８０１が存在した場合、検索部２７はこのファイルＩＤ８０１を基にファイルの物品ラベル情報７０（図７Ａ）を記憶装置２３から検索して、報告書３の書類に関する情報として一時的に記録する（ステップ５０４）。ファイルＩＤ８０１が存在しない場合は、当該書類のファイル欄にどのファイルにも綴込まれていない旨を記録する。
検索部２７は、報告書３の印刷指示に含まれる報告書３の物品種類ＩＤを基に物品種類情報５０（図５）を記憶装置２３から検索し、物品種類ＩＤ５０１を取得する。ドットパターン割当て部２５は、この物品種類ＩＤ５０１を基に、報告書３の物品ラベル情報７２に該当する物品ラベルの新規物品ラベルＩＤ７１０を割当て、記憶装置２３に記憶する。このとき、物品ラベルＩＤ７２０としてドットパターンＩＤを利用する場合、自動的に一意なドットパターンを割当てることになる。そして、新規物品ラベルＩＤ７２０に対して、ユーザに指定された全ての書類ＩＤ７２６を関連付ける（ステップ５０５）。
【００５６】
次に、物品管理サーバ９の印刷処理部２４は、報告書３の印刷イメージを作成する。先のステップ５０４で取得した報告書３の印刷イメージを基に、書類７の情報を挿し込む領域に、ステップ５０３とステップ５０４で一時的に記録した書類７の物品ラベル情報７１及びファイル６の物品ラベル情報７０を書類ＩＤ７２６で指定された順に挿し込み、そのイメージを作成する。そして、ドットパターンＩＤを基に作成したドットパターンのイメージを作成し、これらのイメージをマージして報告書３の印刷イメージを作成する（ステップ５０６）。
この物品管理サーバ９で作成された報告書３の印刷イメージは、クライアント端末１０を介して印刷装置１２に送信され、紙に印刷される。
物品管理サーバ９は、印刷イメージを印刷装置１２に送信した後に、処理履歴管理部３２によって印刷履歴情報９０を新たに作成し、印刷処理ステータス９０４等を記憶装置２３に記録する（ステップ５０７）。
（監査の方法）
図１４は、前述の作成された報告書３を監査する処理の流れ図である。
まず、監査を実施する監査ユーザ４１は、前述の印刷された報告書３を基にデジタルペン８を用いて監査対象の書類欄に書込んだ後、クライアント端末１０を介して物品管理サーバ９にストローク情報を送信する（ステップ３０１）。
物品管理サーバ９の物品ラベル識別部２９は、検索指示に含まれるストローク情報１１０に含まれる座標情報１１４から書類ＩＤ７２６を特定する（ステップ３０２）。この書類検索の詳細な処理については、後述する書類検索処理（図１７）で説明する。
当該書類の確認欄に書込まれた場合、物品管理サーバ９の書込み取得部３０は、ストローク情報１１０を基に文字認識処理を実行する。そして、物品情報管理部２６は、記憶装置２３に格納されている当該書類の物品ラベル情報７１（図７Ｂ）にある当該データ項目（例えば、摘要７１７）に認識結果の文字列を更新することもできる（ステップ３０３）。そして、表示作成部３１は、クライアント端末１０の画面に当該書類の属性情報等を表示する（ステップ３０４）。
監査ユーザ４１は、以上のステップ３０１からステップ３０５の処理について、報告書３に記載されている書類分繰り返し実施する。
【００５７】
監査ユーザ４１は、全ての書類を確認が終了した後、報告書３のコメントを書込み、デジタルペンの承認欄にチェックを入れて、クライアント端末１０を介して物品管理サーバ９にストローク情報を送信する（ステップ３０６）。
物品管理サーバ９は、書込み取得部３０によってストロークの座標情報１１４から予め定義した承認欄にストロークがあるのを判別すると、報告書３の承認処理が完了したとみなし、物品情報管理部２６によって記憶装置２３に格納されている当該報告書の物品ラベル情報７２（図７Ｃ）の承認日時７２３と承認ステータス７２４を「承認待ち」から「承認済」更新する（ステップ３０７）。そして、表示作成部３１によってクライアント端末１０の画面に承認処理完了を表示させる（ステップ３０８）。
【００５８】
図１７は、前述の書類検索処理の詳細な流れ図である。
まず、物品管理サーバ９は、物品ラベル識別部２９によって物品ラベルIＤ７２０を取得し（ステップ６０１）、検索部２７によって物品ラベルＩＤ７２０を基に報告書３の物品ラベル情報７２（図７Ｃ）を記憶装置２３から検索する（ステップ６０２）。そして、書込み取得部３０は、ストローク情報１１０に含まれる座標情報１１４を基に、チェックされた書類欄を特定する（ステップ６０３）。そして、物品関連情報管理部２８は、記憶装置２３に格納されている報告書３の物品ラベル情報７２から書類ＩＤ７２６の順番を取得し、チェックされた書類ＩＤを特定することができる。（ステップ６０４）
そして、物品管理サーバ９の検索部２７は、この書類ＩＤ７２６（書類の物品ラベルＩＤ７１１）を基に書類の物品ラベル情報７１（図７Ｂ）を記憶装置２３から検索する（ステップ６０５）。
【００５９】
次に、検索部２７によって物品ラベルＩＤ７１１を基に印刷情報履歴情報９０を検索して挿込データ９０７に書類の電子情報が存在するかどうかを判定する（ステップ６０６）。その判定結果、電子情報が存在する場合、表示作成部３１によって電子情報のイメージをクライアント端末１０の画面に表示することができる（ステップ６０７）。そして、ステップ６０５で取得した書類の物品ラベル情報７１をクライアント端末１０の画面に表示する。
【００６０】
検索部２７は、ステップ６０４で取得した書類ＩＤ８０２（書類ＩＤ７２６と同じ）を基に物品関連情報８０を検索し、書類ＩＤ８０２に関連付くファイルＩＤ８０１があるか否かを判定する（ステップ６０９）。その判定結果、関連付くファイルＩＤ８０１がある場合、検索部２７によって物品ラベルＩＤ７０１（ファイルＩＤ８０１と同じ）を基に当該ファイルの物品ラベル情報７０を記憶装置２３から検索し、当該ファイルの属性情報（例えば、摘要７０７）を取得する。そして、表示作成部３１によってステップ６０８で表示した書類の情報と共にファイルの属性情報を表示する（ステップ６１０）。
【図面の簡単な説明】
【００６１】
【図１】ラベル印刷から書類綴込みまでの処理の概念図。
【図２】報告書印刷から書類検索、承認までの処理の概念図。
【図３Ａ】書類ラベルの一例を示す図。
【図３Ｂ】報告書の一例を示す図。
【図４Ａ】本発明の物品管理システムのシステム構成図。
【図４Ｂ】物品管理サーバのプログラム記憶メモリの構成図。
【図４Ｃ】物品管理サーバの記憶装置の構成図。
【図５】物品種類情報の構成図。
【図６】ユーザ情報の構成図。
【図７Ａ】物品ラベル情報（ファイルラベル）の構成図。
【図７Ｂ】物品ラベル情報（書類ラベル）の構成図。
【図７Ｃ】物品ラベル情報（報告書）の構成図。
【図８】物品関連情報の構成図。
【図９】印刷履歴情報の構成図。
【図１０】記入履歴情報の構成図。
【図１１】ストローク情報の構成図。
【図１２】ファイルの登録処理のシーケンス図。
【図１３】書類の綴込み処理のシーケンス図。
【図１４】監査（報告書の確認）処理のシーケンス図。
【図１５】書類の綴込み処理のフローチャート図。
【図１６】報告書の作成処理のフローチャート図。
【図１７】書類の検索処理のフローチャート図。
【符号の説明】
【００６２】
１            ファイルラベル
２            書類ラベル
３            報告書
６            ファイル
７            書類
８            デジタルペン
９            物品管理サーバ
１０            クライアント端末
１１            ネットワーク
１２            印刷装置
２０            物品管理サーバの通信インタフェース
２１            物品管理サーバの制御部
２２            物品管理サーバの物品管理部のプログラム記憶メモリ
２３            物品管理サーバの物品管理部の記憶装置
３２            クライアント端末の制御部
３３            クライアント端末の通信インタフェース
３４            クライアント端末のデジタルペンインタフェース
３５            クライアント端末の印刷装置インタフェース
４０            書類をファイルに綴込むユーザ及び報告書を作成する一般ユーザ
４１            報告書を監査するユーザ
【図１】
2008108156.tif 000003
【図２】
2008108156.tif 000004
【図３Ａ】
2008108156.tif 000005
【図３Ｂ】
2008108156.tif 000006
【図４Ａ】
2008108156.tif 000007
【図４Ｂ】
2008108156.tif 000008
【図４Ｃ】
2008108156.tif 000009
【図５】
2008108156.tif 000010
【図６】
2008108156.tif 000011
【図７Ａ】
2008108156.tif 000012
【図７Ｂ】
2008108156.tif 000013
【図７Ｃ】
2008108156.tif 000014
【図８】
2008108156.tif 000015
【図９】
2008108156.tif 000016
【図１０】
2008108156.tif 000017
【図１１】
2008108156.tif 000018
【図１２】
2008108156.tif 000019
【図１３】
2008108156.tif 000020
【図１４】
2008108156.tif 000021
【図１５】
2008108156.tif 000022
【図１６】
2008108156.tif 000023
【図１７】
2008108156.tif 000024